(57)【要約】      （修正有）【課題】約束事を当事者どうしで間違えなく共有可能な約束事管理システム及びプログラムを提供する。【解決手段】約束事管理システムは、情報端末１０と通信ネットワークＮＷを介して接続可能な約束事管理サーバ２０を備える。約束事管理システムは、約束事を約束事管理部２２に出力するとともに、参加ユーザの情報端末１０に出力して、約束事を主ユーザと参加ユーザとで共有させる約束事作成出力部１２と、約束事をまとめた書類データを、主ユーザと参加ユーザの情報端末１０に取得させる書類作成部１４と、約束事に主ユーザおよび参加ユーザが合意したことを出力する承認出力部１５および署名取得部１６と、約束事、書類データ、合意した内容を記憶する記憶部２７と、を備える。約束事管理部２２は、記憶部２７の書類データを、情報端末１０により表示可能とする。【選択図】図２
2020160571.tif 000002
【特許請求の範囲】
【請求項１】
複数のユーザがそれぞれ所有する情報端末と通信ネットワークを介して接続可能な約束事管理サーバを備える約束事管理システムであって、
前記ユーザが作成した約束事を、前記約束事を管理する約束事管理部に出力するとともに、前記約束事を作成した前記ユーザである主ユーザが設定した前記約束事に参加する参加ユーザの前記情報端末に出力して、前記約束事を前記主ユーザと前記参加ユーザとで共有させる約束事出力部と、
前記主ユーザおよび前記参加ユーザの前記約束事の取り決めをまとめた書類データを、前記主ユーザと前記参加ユーザとの前記情報端末に取得させる書類取得部と、
前記主ユーザおよび前記参加ユーザによる前記情報端末の操作に基づいて、前記書類データに記載された前記約束事に対して前記主ユーザおよび前記参加ユーザのそれぞれが合意したことを出力可能とする合意出力部と、
前記約束事、前記書類データ、前記合意した内容を、前記主ユーザおよび前記参加ユーザに関連して記憶する記憶部と、
前記約束事管理部は、前記主ユーザおよび前記参加ユーザの前記情報端末による参照操作に応じて、前記書類データを含むデータを、前記情報端末により表示可能とする約束事管理システム。
【請求項２】
請求項１に記載の約束事管理システムにおいて、
前記主ユーザの操作に応じて前記約束事の作成を可能とする約束事作成部と、
前記主ユーザまたは前記参加ユーザの操作に応じて前記書類データの作成を可能とする書類作成部と、
を備える約束事管理システム。
【請求項３】
請求項１または請求項２に記載の約束事管理システムにおいて、
前記主ユーザおよび前記参加ユーザによる前記情報端末の操作に応じて前記約束事に対する意見を相互に出力可能とする意見投稿処理部を備える約束事管理システム。
【請求項４】
請求項１〜請求項３のいずれか１項に記載の約束事管理システムにおいて、
前記合意出力部は、前記合意として、前記書類データとして示された前記約束事を承認したことの意思表示を可能とし、
前記約束事管理サーバは、前記主ユーザおよび前記参加ユーザの承認の意思表示が得られたら、前記書類データを完成した前記約束事として、各ユーザの承認実績と併せて前記記憶部に記憶させる書類承認管理部を備える約束事管理システム。
【請求項５】
請求項１〜請求項４のいずれか１項に記載の約束事管理システムにおいて、
前記合意出力部は、前記合意として、前記書類データに電子署名を取得して出力可能な署名取得部を備え、
前記電子署名により前記書類データに署名を行う書類署名部をさらに備える約束事管理システム。
【請求項６】
請求項１〜請求項５のいずれか１項に記載の約束事管理システムにおいて、
前記約束事を、前記情報端末の画面に表示したカレンダー画面上の日付に対応する位置に表示し、かつ、前記ユーザによる前記カレンダー画面上に表示された前記約束事の選択操作に応じて前記約束事の内容を表示する画面に遷移する処理を行うスケジュール管理部を備える約束事管理システム。
【請求項７】
請求項１〜請求項６のいずれか１項に記載の約束事管理システムにおいて、
前記情報端末の画面上に前記約束事を一覧表示させ、かつ、前記約束事の日付順を含む入力条件に応じた並び替えを可能とする期限管理部を備える約束事管理システム。
【請求項８】
複数のユーザがそれぞれ所有する情報端末と通信ネットワークを介して接続可能な約束事管理サーバを備える約束事管理システムにおいて前記情報端末で用いるプログラムであって、
前記ユーザによる前記情報端末の操作による約束事の作成と、
前記約束事を作成した前記ユーザである主ユーザの前記情報端末の操作による前記約束事の前記約束事管理サーバへの出力、および、前記主ユーザとは異なる前記約束事に参加する前記ユーザである参加ユーザの前記情報端末への出力と、
前記約束事の最終的な取り決めをまとめた書類データを、前記主ユーザもしくは前記参加ユーザによる前記情報端末の操作により、前記約束事管理サーバと、少なくとも前記書類データの作成者以外の前記主ユーザおよび前記参加ユーザの前記情報端末とへの出力と、
前記主ユーザおよび前記参加ユーザの前記情報端末の操作による前記書類データに記載された前記約束事に対する合意の出力と、
前記主ユーザおよび前記参加ユーザの前記情報端末による前記書類データの参照操作に応じて、前記約束事管理サーバに記録された前記書類データの前記情報端末による表示と、
を可能とするプログラム。
【請求項９】
請求項８に記載のプラグラムにおいて、
前記主ユーザおよび前記参加ユーザの前記情報端末の操作により、前記約束事に対する意見の入力を可能とするとともに、前記約束事管理サーバと前記主ユーザおよび前記参加ユーザの前記情報端末とへの前記意見の出力をさらに可能とするプログラム。
【請求項１０】
請求項８または請求項９に記載のプログラムにおいて、
前記主ユーザもしくは前記参加ユーザによる前記情報端末の操作により、前記書類データの作成をさらに可能とするプログラム。
【発明の詳細な説明】
【技術分野】
【０００１】
本開示は、約束事管理システムおよびプログラムに関するものである。
【背景技術】
【０００２】
従来、友人どうしなどの約束事は、人の記憶に頼ったり、それぞれが、メールなどのやり取りをテキストなどのデータとして個々に管理したりしているのが実情である。
【０００３】
また、契約などは、書面に捺印したものを取り交わして書面で保管することになる。このような書面は、管理が難しい。そこで、契約書などを電子化して保管することが提案されている（例えば、特許文献１参照）。この従来技術では、電子契約書および電子署名を電子データとしてサーバに保管することにより、書面の保管と比較して、省スペース化を図るとともに、書類の紛失を防止できる。
【先行技術文献】
【特許文献】
【０００４】
【特許文献１】特開２０１６−１６２１０４号公報
【発明の概要】
【発明が解決しようとする課題】
【０００５】
しかしながら、約束事を、単にテキスト等により時系列に保存したものでは、最終的に約束事がどのようになったか共有するのが難しい。例えば、待ち合わせなどの約束事では、その待ち合わせ場所や時間が個々の都合で、変更が繰り返された場合、最終決定された約束事の内容を参加者全員が正しく把握できるとは限らない。また、これを時系列のメールなどにより確認した際に、最終決定前の内容と間違えるおそれがある。
【０００６】
また、電子契約を用いた場合、管理者は契約書を管理できるものの、契約に関連するユーザの全員で契約書を共有することが難しい。
【０００７】
本開示は、上記問題に着目してなされたもので、約束事を当事者どうしで間違えなく共有可能な約束事管理システムおよびプログラムを提供とすることを目的とする。
【課題を解決するための手段】
【０００８】
本開示の約束事管理システムは、複数のユーザがそれぞれ所有する情報端末と通信ネットワークを介して接続可能な約束事管理サーバを備える約束事管理システムである。そして、本開示の約束事管理システムは、前記ユーザが作成した約束事を、前記約束事を管理する約束事管理部に出力するとともに、前記約束事を作成した前記ユーザである主ユーザが設定した前記約束事に参加する参加ユーザの前記情報端末に出力して、前記約束事を前記主ユーザと前記参加ユーザとで共有させる約束事出力部と、前記主ユーザおよび前記参加ユーザの前記約束事の取り決めをまとめた書類データを、前記主ユーザと前記参加ユーザとの前記情報端末に取得させる書類取得部と、前記主ユーザおよび前記参加ユーザによる前記情報端末の操作に基づいて、前記書類データに記載された前記約束事に対して前記主ユーザおよび前記参加ユーザのそれぞれが合意したことを出力可能とする合意出力部と、前記約束事、前記書類データ、前記合意した内容を、前記主ユーザおよび前記参加ユーザに関連して記憶する記憶部と、前記約束事管理部は、前記主ユーザおよび前記参加ユーザの前記情報端末による参照操作に応じて、前記書類データを含むデータを、前記情報端末により表示可能とする。
【０００９】
また、本開示のプログラムは、複数のユーザがそれぞれ所有する情報端末と通信ネットワークを介して接続可能な約束事管理サーバを備える約束事管理システムにおいて前記情報端末で用いるプログラムである。そして、本開示のプログラムは、前記ユーザによる前記情報端末の操作による約束事の作成と、前記約束事を作成した前記ユーザである主ユーザの前記情報端末の操作による前記約束事の前記約束事管理サーバへの出力、および、前記主ユーザとは異なる前記約束事に参加する前記ユーザである参加ユーザの前記情報端末への出力と、前記約束事の最終的な取り決めをまとめた書類データを、前記主ユーザもしくは前記参加ユーザによる前記情報端末の操作により、前記約束事管理サーバと、少なくとも前記書類データの作者以外の前記主ユーザおよび前記参加ユーザの前記情報端末とへの出力と、前記主ユーザおよび前記参加ユーザの前記情報端末の操作による前記書類データに記載された前記約束事に対する合意の出力と、前記主ユーザおよび前記参加ユーザの前記情報端末による前記書類データの参照操作に応じて、前記約束事管理サーバに記録された前記書類データの前記情報端末による表示と、を可能とする。
【発明の効果】
【００１０】
本開示の約束事管理システムおよびプログラムでは、約束事を当事者どうしで間違えなく共有可能とすることができる。
【図面の簡単な説明】
【００１１】
【図１】実施の形態１の約束事管理システムの全体システム図である。
【図２】実施の形態１の約束事管理システムを示すブロック図である。
【図３】実施の形態１の約束事管理システムにより約束事を作成し完成するまでのユーザの操作の手順を示す説明図である。
【図４Ａ】実施の形態１の約束事管理システムによる処理の流れを示すフローチャートである。
【図４Ｂ】実施の形態１の約束事管理システムによる処理の流れを示すフローチャートである。
【図５Ａ】実施の形態１の約束事管理システムにより情報端末１０に表示する約束事一覧画面３１を示す図である。
【図５Ｂ】実施の形態１の約束事管理システムにより情報端末１０に表示する約束事作成画面３２を示す図である。
【図５Ｃ】実施の形態１の約束事管理システムにより情報端末１０に表示する書類作成画面３３を示す図である。
【図５Ｄ】実施の形態１の約束事管理システムにより情報端末１０に表示する意見・コメント作成投稿画面３４を示す図である。
【図６】実施の形態２の約束事管理システムを示すブロック図である。
【発明を実施するための形態】
【００１２】
以下、本開示の約束事管理システムおよびプログラムの実施の形態を、図面に基づいて説明する。
【００１３】
（実施の形態１）
本実施の形態１の約束事管理システムは、図１に示すように、情報端末１０、１０、・・・と、約束事管理サーバ２０と、通信ネットワークＮＷとを備える。なお、通信ネットワークＮＷは、いわゆるＬＡＮ（local area network）などの限定区域のネットワークおよび公衆回線などの広域ネットワークを含む。
【００１４】
（情報端末の説明）
まず、情報端末１０について説明する。
情報端末１０は、実施の形態１の約束事管理システムの利用者であるユーザＵが、約束事を作成し、約束を交わし、約束事を参照するのに用いる。ここでユーザＵとしては、図示のような個人や法人が含まれる。そして、約束事としては、個人どうしで交わされる契約を含む約束や、法人どうしで交わされる契約を含む約束や、個人と法人との間で交わされる契約を含む約束などの他、相談とそれに対する回答のやりとりなども含む。
【００１５】
また、約束事としては、具体的には、友人どうしの会食、遊びなどの約束の他、映画、コンサート、レストラン、病院などの予約が含まれる。さらに、約束事として、契約書、覚書、借用書、念書、売買契約なども含まれる。
【００１６】
情報端末１０は、図示のように、携帯電話などの携帯端末や、いわゆるパーソナルコンピュータなどが含まれるもので、不図示のＣＰＵ、ＲＡＭ、ＲＯＭを備え、かつ、表示画面１１を備える。そして、情報端末１０は、文字、数字などを入力し、その入力データを、通信ネットワークＮＷを介して約束事管理サーバ２０や他の情報端末１０に出力可能であるとともに、約束事管理サーバ２０や他の情報端末１０からデータを受け取り可能な周知のものである。
【００１７】
さらに、情報端末１０は、実施の形態のプログラムがインストールされている。そして、情報端末１０は、実施の形態のプログラムを実行する構成として、図２に示す、約束事作成出力部１２、意見投稿処理部１３、書類作成部１４、承認出力部（合意出力部）１５、署名取得部（合意出力部）１６、スケジュール管理部１７を備える。
【００１８】
約束事作成出力部１２は、ユーザＵの入力操作に基づいて約束事を作成する機能を有する。さらに、約束事作成出力部１２は、ユーザＵの出力操作に応じて、作成した約束事のデータを、通信ネットワークＮＷを介して、約束事管理サーバ２０および他のユーザＵに出力する機能を有する。なお、情報端末１０を操作可能なユーザＵは、予め操作を行う権限が与えられたユーザＵであり、パスワードの入力や、指紋認証などの本人確認に基づいてプログラムの使用権限が与えられたユーザＵであるか否かの確認を行う。
【００１９】
また、上記の他のユーザＵは、約束事への参加を設定されたユーザＵであって、約束事の関係者である。以下の説明において、約束事を作成したユーザＵを主ユーザＵ１と称し、参加を設定されたユーザＵを参加ユーザＵｎと称する。また、参加ユーザＵｎへの約束事の出力は、主ユーザＵ１の情報端末１０から、参加ユーザＵｎの情報端末１０に直接出力してもよいし、約束事を受け取った約束事管理サーバ２０から参加ユーザＵｎの情報端末１０へ間接的に出力するようにしてもよい。
【００２０】
意見投稿処理部１３は、詳細は後述するが、ユーザＵの入力操作に応じ約束事に対する意見やコメントを作成し、これを約束事管理サーバ２０および参加ユーザＵｎへ出力する機能を有する。
【００２１】
書類作成部１４は、詳細は後述するが、主ユーザＵ１の入力操作により、約束事およびそれに対する意見、コメントに基づいて、最終的に約束事の取り決めをまとめた書類データを作成し出力する機能を有する。
【００２２】
承認出力部１５は、ユーザＵによる承認操作に応じ、書類データの記載内容を承認したことを示す信号を合意出力部の一つとして約束事管理サーバ２０に出力する。
【００２３】
署名取得部１６は、ユーザＵによる署名操作に応じ、電子署名や電子印鑑などの署名を取得し、書類データに対する合意出力部の一つとして約束事管理サーバ２０に出力する。また、本実施の形態では、署名として、例えば、マイナンバーなどの個人識別番号を用いるもので、所定の署名操作を行うことで、予め登録したユーザＵの個人識別番号情報を取得し、本人が署名したことを示す信号を出力する。
【００２４】
なお、各部１２〜１６に対するユーザＵによる操作の詳細については後述するが、上述のように、情報端末１０では、所有者（アクセス権限保有者）であるユーザＵ（Ｕ１、Ｕｎ）が契約を含む約束事を作成することができる。さらに、情報端末１０では、その所有者および所有者以外が作成した約束事に対する意見やコメントを作成して出力することができる。また、情報端末１０は、詳細は後述するが、約束事に対する承認や署名といった合意を示す意思表示操作を行って約束事を完成させることができる。
【００２５】
スケジュール管理部１７は、各ユーザＵの未完了状態および未完了状態の約束事のスケジュール管理および期限管理を行うことを可能とする処理を行う。なお、未完了状態とは、約束事の実行の日付（例えば、会合の日、予約の日、契約の成立日）が到来していない約束事が継続中の状態をいう。また、完了状態とは、実行の日付が到来し、約束事が完了した状態をいう。
【００２６】
また、スケジュール管理部１７は、スケジュール管理として、情報端末１０の表示画面１１において、図１に示すカレンダー画面１１０を表示し、このカレンダー画面１１０において、約束事の対応する日付の位置に約束事を表示する。なお、約束事の対応する日付とは、例えば、後に例示する会合の場合、会合の実行予定日をいう。また、契約の場合は、契約の開始日から終了日などをいい、この場合、開始、終了なども併せて表示する。
【００２７】
さらに、スケジュール管理部１７は、カレンダー画面１１０に表示された約束事に対し、タップ操作やクリック操作などの選択操作を行うことにより、約束事の内容を表示する画面に遷移し、約束事を参照可能とする。なお、約束事の内容を表示する画面としては、後述する図５Ｂに示す約束事作成画面３２と同様に、約束事の内容や参加者や日程などを表示する。
【００２８】
また、スケジュール管理部１７による約束事の期限管理としては、後述する図５Ａに示す約束事一覧画面３１を用いて、一覧表示、ソート、消込などによる期限管理を行うことができる。具体的には、約束事一覧画面３１の検索部３１ａを操作し、約束事の承認日や、約束事の開始日あるいは終了日などの日付順によるソート（並び替え）や、完了／未完了などの入力条件などに応じて、約束事の一覧表示の順番を設定することを可能とする。さして、一覧表示された約束事を選択操作することで、約束事の詳細を表示する画面に遷移しユーザＵによる参照を可能とする。さらに、一覧表示された約束事が完了した場合、権限を有するユーザＵの操作に応じて、約束事を完了状態にすることができる。あるいは、日付が到来したら、自動的に未完了状態から完了状態に切り替えるようにしてもよい。
【００２９】
（約束事管理サーバの説明）
次に、約束事管理サーバ２０について説明する。
約束事管理サーバ２０は、不図示のＣＰＵ、ＲＡＭ、ＲＯＭを備え、情報端末１０と約束事に関するデータのやり取りを行い、かつ、ユーザＵに関するデータや約束事に関するデータを記憶し、さらに、約束事に対応して必要な処理を行う機能を有する。これにより、約束事管理サーバ２０では、各ユーザＵが各情報端末１０を用いて作成した契約を含む約束事を一元管理することを可能とする。
【００３０】
そこで、約束事管理サーバ２０は、約束事を管理するために、ユーザ管理部２１、約束事管理部２２、意見管理部２３、書類管理部２４、書類承認管理部２５、書類署名部２６、記憶部２７を備える。
【００３１】
ユーザ管理部２１は、ユーザＵに関するデータの管理を行うもので、予め記憶部２７に記憶されたユーザＵに関する情報を必要に応じて取り出し、約束事や意見・コメントや書類データなどとユーザＵとの関連付けを行う。なお、ユーザＵに関する情報には、ユーザＵの識別を行うために予めユーザＵに関連して付与されたＩＤ（identification）が含まれる。
【００３２】
約束事管理部２２は、主ユーザＵ１が作成した約束事を、主ユーザＵ１および参加ユーザＵｎと関連付け、記憶部２７に記憶させる処理を行う。
【００３３】
意見管理部２３は、参加ユーザＵｎや主ユーザＵ１が投稿した意見やコメントを、主ユーザＵ１および参加ユーザＵｎと関連付け、記憶部２７に記憶させる処理を行う。
【００３４】
書類管理部２４は、上述した約束事の取り決めをまとめた書類データを、主ユーザＵ１および参加ユーザＵｎと関連付け、記憶部２７に記憶させる管理を行う。
【００３５】
書類承認管理部２５は、主ユーザＵ１および参加ユーザＵｎの承認を取得し、上述した書類データと関連付け、記憶部２７に記憶させる処理を行う。
【００３６】
書類署名部２６は、ユーザＵによる署名操作に応じて情報端末１０から出力された電子署名や電子印鑑に基づいて、書類データに署名を付与し、記憶部２７に記憶させる処理を行う。
【００３７】
記憶部２７は、前述のユーザＵに関する情報を記憶し、かつ、ユーザＵに関連付けられた約束事や、意見およびコメントや、書類データや、承認や、署名を記憶し、必要に応じて取り出して参照することを可能とする。
【００３８】
（約束事管理処理の説明）
次に、実施の形態１の約束事管理システムによる約束事管理処理の流れを説明する。この約束事管理システムにおける約束事管理処理は、ユーザＵどうしでの契約を含む約束事を管理するものである。そこで、約束事管理処理を説明する前に、ユーザＵによる約束事の作成から約束事の完成までのユーザＵによる行為の流れを簡単に説明する。なお、前述のように、ユーザＵとしては、個人、法人を含み、約束事も個人間の契約を含む約束、法人間の契約を含む約束、個人と法人間の契約を含む約束があるが、以下の説明では、個人どうしで約束をする場合を一例として説明する。
【００３９】
（ユーザによる操作の流れ）
図３は、複数のユーザＵのうち、約束事を提案し作成した主ユーザＵ１と、約束事に参加する参加ユーザＵｎとによる約束事の作成から完成までの流れを記載している。また、約束事としては、例えば、友人（参加ユーザＵｎ）との会食や遊びなどの会合の約束とする。なお、約束事は、前述したように、会合の約束に限定されるものではない。
【００４０】
主ユーザＵ１は、まず、約束事を作成するとともに、約束事への参加者を設定する（ステップＳ１１）。上述のような会合の場合、約束事には、会合の内容や、場所や、日時や期間などが含まれる。
【００４１】
次に、約束事を作成した主ユーザＵ１は、参加ユーザＵｎに約束事の出力を行う（ステップＳ１２）。これにより、参加者として設定された参加ユーザＵｎは、会合の提案を知ることができ、約束事が、主ユーザＵ１および参加ユーザＵｎで共有されることになる。すなわち、主ユーザＵ１および参加ユーザＵｎが約束事に参加する（ステップＳ１３、Ｓ２１）。なお、参加ユーザＵｎは、会合および約束事に必ず参加するものでは無く、参加するか否かの選択をすることができる。
【００４２】
そして、約束事は、最初に作成された約束事が、そのまま、最終案となる場合もあるが、最初に設定された場所や、時間などの不都合がある場合、参加ユーザＵｎは、意見やコメントを作成し投稿することができる（ステップＳ２２）。あるいは、例えば、会合の時期として、ある程度の幅を持った期間を設定し、各自が、都合のよい日程を意見として提案することが可能である。また、主ユーザＵ１もその意見やコメントに対して、さらに意見やコメントを作成し投稿することができる（ステップＳ１４）、さらに、このような意見やコメントの投稿を相互に繰り返すことが可能である。
【００４３】
主ユーザＵ１は、意見やコメントをとりまとめ最終的な約束事の取り決めをまとめた書類データを作成し出力する（ステップＳ１５）。すなわち、最終決定された場所や、集合時刻、予算などを取り決める。
【００４４】
そして、主ユーザＵ１および参加ユーザＵｎは、最終決定された書類データの内容を確認し、問題が無ければ、次のステップＳ１７、Ｓ２４に進む。また、問題があれば、意見やコメントの作成および出力のステップＳ１４、Ｓ２２に戻る。
【００４５】
そして、書類データの内容に問題がない場合、主ユーザＵ１は、承認あるいは署名による合意を行い（ステップＳ１７）、同様に参加ユーザＵｎも承認あるいは署名による合意を行う（ステップＳ２４）。この参加者全員による承認操作あるいは署名操作が行われた時点で約束事が完成する（ステップＳ１８、Ｓ１９）。なお、上記の友人どうしの会合の場合は、基本的には、合意の意思表示として承認を用いる。一方、契約など、法的効力を持たせる場合には、合意の意思表示として署名を用いる。また、詳細な説明は省略するが、署名を行った場合は、約束事管理サーバ２０は、ユーザＵに対して課金を行う。
【００４６】
（約束事管理システムによる約束事管理処理の流れ）
次に、約束事管理システムによる約束事管理処理の流れを説明する。
図４Ａ、図４Ｂは、約束事管理システムによる処理の流れを、主ユーザＵ１の情報端末１０と、参加ユーザＵｎの情報端末１０と、約束事管理サーバ２０との処理に分けて記載したフローチャートである。
【００４７】
ステップＳ１０１では、主ユーザＵ１による約束事の作成操作（Ｓ１１）を受けて、情報端末１０の約束事作成出力部１２により約束事の内容を作成するとともに、参加者の設定操作を受けて参加者（参加ユーザＵｎ）の設定を行う。
【００４８】
図５Ｂは、約束事の作成時に情報端末１０の表示画面１１に表示する約束事作成画面３２の一例を示す。この約束事作成画面３２は、タイトル欄３２ａ、ハッシュキー欄３２ｂ、説明欄３２ｃ、日付設定欄３２ｄ、参加者設定欄３２ｅを備える。また、約束事作成画面３２は、種々の操作を行う部位として、書類作成画面移行操作部３２ｆ、意見投稿画面移行操作部３２ｇ、公開範囲選択部３２ｈ、承認／署名選択部３２ｊ、参加操作部３２ｋ、作成操作部３２ｍ、更新操作部３２ｎを備える。
【００４９】
タイトル欄３２ａは、約束事のタイトルを設定する欄であり、本実施の形態１に示す例では、会合の目的など、例えば、新年会、忘年会、誕生パーティなどを入力することができる。ハッシュキー欄３２ｂは、検索を考慮して、タイトルや目的などに応じて、適宜設定し入力する欄である。説明欄３２ｃは、会合の目的や内容に関する詳しい説明を入力する欄である。日付設定欄３２ｄでは、会合の日付を入力する欄である。この場合、特定の日付を設定してもよいし、日付を後述する意見やコメントの投稿により決定することにしてある程度の幅を持たせた期間を設定してもよい。参加者設定欄３２ｅは、参加を呼び掛ける対象となる参加者（参加ユーザＵｎ）を入力する欄である。この参加者の入力は、追加設定部３２ｐの操作で参加者の追加を行い、ユーザＩＤ入力部３２ｑにユーザＩＤを入力して参加者を特定できる。なお、参加者は、メールアドレスなどのデータの送付先を特定するデータを入力して特定する。
【００５０】
書類作成画面移行操作部３２ｆは、後述する書類作成画面３３（図５Ｃ参照）に移行する操作（例えば、タップ操作やクリック操作など）を行う部位である。
意見投稿画面移行操作部３２ｇは、後述する意見・コメント作成投稿画面３４（図５Ｄ参照）に移行する操作（例えば、タップ操作）を行う部位である。
【００５１】
公開範囲選択部３２ｈは、公開、非公開などの公開範囲を選択する操作を行う部位である。例えば、公開範囲選択部３２ｈのタップ操作を行うことで、選択可能な公開範囲が表示され、その一つを選択可能とする。
【００５２】
承認／署名選択部３２ｊは、後述する承認や署名を行う際に、承認や署名を選択する操作を行う部位である。
参加／作成／更新操作部３２ｎは、約束事の作成や、約束事への参加や、更新の操作を行う部位である。
【００５３】
したがって、図４ＡのステップＳ１０１では、図５Ｂに示す約束事作成画面３２を用いた主ユーザＵ１の操作に応じ、約束事作成出力部１２により約束事を作成する処理を行う。
【００５４】
ステップＳ１０２では、主ユーザＵ１の出力操作（Ｓ１２）に応じて、ステップＳ１０１で作成した約束事に関するデータを、通信ネットワークＮＷを介して約束事管理サーバ２０および参加ユーザＵｎに出力する。この出力は、図５Ｂに示す約束事作成画面３２の参加／作成／更新操作部３２ｎによる出力操作に応じて約束事作成出力部１２の処理により行う。
【００５５】
なお、参加ユーザＵｎへの出力は、図５Ｂに示す約束事作成画面３２の参加者設定欄３２ｅにおいて設定した参加者（参加ユーザＵｎ）に対して行われる。この主ユーザＵ１から参加ユーザＵｎへの出力は、主ユーザＵ１から参加ユーザＵｎへ直接行うようにしてもよいし、参加ユーザＵｎの情報を読み込んだ約束事管理サーバ２０から行うようにしてもよい。
【００５６】
約束事管理サーバ２０では、約束事管理部２２の処理により、主ユーザＵ１から出力された約束事に関するデータを取得し記憶部２７に保存する（Ｓ３０１）。また、参加ユーザＵｎの情報端末１０では、約束事のデータを取得する（Ｓ２０１）。この場合、意見投稿処理部１３に取得するようにしてもよいし、約束事作成出力部１２で取得するようにしてもよい。さらに、参加ユーザＵｎの情報端末１０では、約束事データの取得に伴い、約束事を取得したことを報知したり、表示画面１１に表示したりする（Ｓ２０２）。なお、取得した約束事は、図５Ａに示す約束事一覧画面３１に一覧として表示され、タイトル表示部３１ｅのタップ操作を行うことで表示される。また、この表示は、自動的に行ってもよい。さらに、前述したように、スケジュール管理部１７による処理に基づいて、日付その他の条件でソートして約束事を一覧表示させることもできる。
【００５７】
参加ユーザＵｎは、約束事に参加し（Ｓ２１）、約束事に対して、意見やコメントを投稿することができる（Ｓ２２）。なお、意見としては、例えば、送られてきた約束事の内容、例えば、場所や日程や参加者に対し、参加の可否や、日程や場所の提案や変更などの約束事に対する具体的な意思表示が含まれる。また、コメントとしては、会合を楽しみにしているなどの感想が含まれる。
【００５８】
このような意見やコメントを参加ユーザＵｎが送る場合、図５Ｄに示す意見・コメント作成投稿画面３４を用いて行う。すなわち、参加ユーザＵｎは、図５Ａに示す約束事一覧画面３１により約束事の確認後、意見投稿画面移行操作部３１ｄをタップ操作やクリック操作することで、その約束事に対して、意見やコメントを投稿する行う意見・コメント作成投稿画面３４を開くことができる。なお、図５Ｄに示す意見・コメント作成投稿画面３４は、図５Ｂに示す約束事作成画面３２の意見投稿画面移行操作部３２ｇのタップ操作を行うことにより開くこともできる。
【００５９】
参加ユーザＵｎの情報端末１０では、意見やコメントを作成する操作が行われたかを判定する（ステップＳ２０３）。そして、作成操作が行われた場合、意見投稿処理部１３は、参加ユーザＵｎによる意見・コメントの作成操作（Ｓ２２）に応じて意見・コメントを作成し、さらに、意見投稿処理部１３は、投稿操作（Ｓ２２）に応じて意見・コメントの投稿を行う（ステップＳ２０４）。
【００６０】
さらに、意見・コメントの作成および投稿は、主ユーザＵ１も行うこともできる。すなわち、参加ユーザＵｎおよび主ユーザＵ１は、意見やコメントを繰り返し作成し投稿することができる（ステップＳ１０３、Ｓ１０４、Ｓ２０５）。
【００６１】
したがって、図５Ｄに示す意見・コメント作成投稿画面３４では、ユーザＵの入力操作に応じた意見投稿処理部１３の処理に基づいて、表示部３４ａにおいて時系列の会話形式で意見やコメントを表示することができる。また、各表示部３４ａでは、意見・コメントの発信者も表示される。
【００６２】
そして、投稿された意見やコメントは、約束事管理サーバ２０の意見管理部２３の処理に基づいて、ユーザＵ個人や、主ユーザＵ１および参加ユーザＵｎから成るグループに関連付けて記憶部２７に記憶される（Ｓ３０２）。
【００６３】
その後、主ユーザＵ１は、意見・コメントが出尽くした判断するなどして、約束事に変更が無い完成状態となったと判断したら、約束事および意見・コメントをまとめた取り決めを記載した約束書類となる書類データを作成する操作を行う（Ｓ１５）。この場合、主ユーザＵ１が、図５Ｂに示す約束事作成画面３２の書類作成画面移行操作部３２ｆのタップ操作やクリック操作などを行うと、情報端末１０の書類作成部１４は、表示画面１１に図５Ｃに示す書類作成画面３３を表示する。
【００６４】
この書類作成画面３３は、作成日表示部３３ａ、タイトル表示部３３ｂ、内容記入部３３ｃ、日付記入部３３ｄ、参加者表示部３３ｅを備える。また、書類作成画面３３の側部には、センタリング設定操作部３３ｆ、左詰め操作部３３ｇ、右詰め操作部３３ｈ、文字サイズ拡大操作部３３ｊ、文字サイズ縮小操作部３３ｋ、承認・署名操作部３３ｍを備える。さらに、書類作成画面３３の下部には、作成操作部３３ｎ、更新操作部３３ｐを備える。
【００６５】
作成日表示部３３ａには、書類作成部１４の機能により書類データの作成日が自動的に表示される。タイトル表示部３３ｂには、約束事作成画面３２のタイトル欄３２ａのタイトル名が、書類作成部１４の機能により表示される。なお、タイトル表示部３３ｂのタイトル名は、主ユーザＵ１が、自身で入力することもできる。
【００６６】
内容記入部３３ｃには、主ユーザＵ１が意見を取りまとめて入力を行った最終的な約束事が表示される。日付記入部３３ｄには、主ユーザＵ１が意見を取りまとめて入力を行った最終的な約束事を実行する日付が表示される。参加者表示部３３ｅには、最終的な参加者を表示する。
【００６７】
したがって、情報端末１０の書類作成部１４は、主ユーザＵ１の書類作成操作に応じて最終的に約束事、意見・コメントをまとめた取り決めを記載した書類データを作成し、かつ、出力する（ステップＳ１０５、Ｓ１０６）。
【００６８】
なお、書類データの出力は、主ユーザＵ１が、書類作成画面３３の作成操作部３３ｎをタップ操作することで行われる。この出力により、書類データが、参加ユーザＵｎと約束事管理サーバ２０とに送られる。
【００６９】
これにより、参加ユーザＵｎの情報端末１０では、最終的な約束事を情報端末１０の書類作成画面３３に表示し（ステップＳ２０６）、参加ユーザＵｎは、その内容を確認することができる。また、約束事管理サーバ２０では、書類管理部２４の機能により書類データが、主ユーザＵ１、参加ユーザＵｎおよびそのグループに関連付けして記憶部２７に保存される（ステップＳ３０３）。なお、参加ユーザＵｎへの書類データの送信は、主ユーザＵ１から直接行うようにしてもよいし、約束事管理サーバ２０から間接的に行うようにしてもよい。
【００７０】
主ユーザＵ１および参加ユーザＵｎに書類データが送られたら、主ユーザＵ１および参加ユーザＵｎによる承認操作あるいは署名操作による合意が要求される。なお、この実施の形態１のような私的な会合の約束の場合は、承認操作が要求される。そして、承認操作が行われた場合は、承認出力部１５では、主ユーザＵ１および参加ユーザＵｎの承認操作に応じ承認を示す信号を出力する。また、署名操作が行われた場合は、署名取得部１６が、署名操作に応じ署名を示す信号を出力する（ステップＳ１０７、Ｓ２０７）。
【００７１】
ここで、承認および署名は、情報端末１０の書類作成画面３３の承認・署名操作部３３ｍの選択操作により行う。この合意として承認を用いるか、署名を用いるかは、約束事作成画面３２の承認／署名選択部３２ｊの操作に基づいて、予め設定されている。
【００７２】
そして、承認の操作が行われたら、書類承認管理部２５は、承認操作が行われたことを取得し、約束事が完成したと判定し、この承認を含む約束事に関する書類データを、主ユーザＵ１、参加ユーザＵｎおよびそのグループに関連付けて記憶部２７に記憶する（Ｓ３０４、Ｓ３０５）。なお、約束事に関する書類データとしては、約束事の作成日、タイトル、内容、日付、参加者、承認が行われた旨が含まれる。
【００７３】
一方、約束事作成画面３２の承認／署名選択部３２ｊの操作に基づいて署名が選択されている場合は、書類作成画面３３の承認・署名操作部３３ｍのタップ操作を行うと、表示画面１１上でパスワードの入力を促す表示を行う。この表示画面１１にてパスワードを入力して実行を選択することにより、情報端末１０から電子証明書や電子印鑑（本実施の形態１ではマイナンバー署名を用いる）が送信されて、書類署名部２６では、書類データから成る書類に署名を行う。そして、この署名が行われた書類データは、記憶部２７に記憶され、ユーザ管理部２１により管理される（ステップＳ３０６）。
【００７４】
また、以上のように、約束事管理サーバ２０に記録された各約束事は、その約束事の主ユーザＵ１および参加ユーザＵｎは、適宜参照することができる。この参照は、情報端末１０により表示画面１１に図５Ａに示す約束事一覧画面３１を表示させて行う。
【００７５】
この約束事一覧画面３１は、検索部３１ａ、作成操作部３１ｂ、一覧部３１ｃを備える。検索部３１ａは、ハッシュキーや、日付、タイトルなどを入力して、約束事の検索を行うことができる。なお、検索結果は、一覧部３１ｃに表示される。
【００７６】
作成操作部３１ｂは、新たに約束事を作成する際に、操作を行う箇所であり、この作成操作部３１ｂのタップ操作を行うことで、図５Ｂに示す約束事作成画面３２に移行し、約束事を作成することができる。
【００７７】
一覧部３１ｃは、完成した約束事および作成中の約束事を表示する部分であり、意見投稿画面移行操作部３１ｄ、タイトル表示部３１ｅ、状態表示部３１ｆを備える。意見投稿画面移行操作部３１ｄは、タップ操作を行うことで、意見・コメント作成投稿画面３４に移行することができる。
【００７８】
タイトル表示部３１ｅは、約束事の案件ごとのタイトルを表示する。なお、このタイトル表示部３１ｅをタップ操作することで、約束事の内容を参照することができる。
【００７９】
状態表示部３１ｆは、各約束事の作成後の状態を表示する。なお、約束事の状態としては、約束事を作成後にまだ完成していない場合は、図示のように、「検討中」と表示し、また、全員が署名した場合は「全員署名済」と表示し、全員が承認した場合は「全員承認済」と表示する。
【００８０】
また、図５Ａでは、日付を表示していないが、一覧表示の際に、約束事を実行する日付を併せて表示してもよい。あるいは、前述したように、スケジュール管理部１７により日付に基づくソート（並び替え）を選択した際に、日付の表示とともに、日付順に約束事を表示するようにしてもよい。
【００８１】
（実施の形態１の効果）
以下に、実施の形態１の約束事管理システムの効果を列挙する。
（１）実施の形態１の約束事管理システムは、複数のユーザＵがそれぞれ所有する情報端末１０と通信ネットワークＮＷを介して接続可能な約束事管理サーバ２０を備える。さらに、約束事管理システムは、ユーザＵが作成した約束事を、約束事を管理する約束事管理部２２に出力するとともに、約束事を作成した主ユーザＵ１が設定した約束事に参加する参加ユーザＵｎの情報端末１０に出力して、約束事を主ユーザＵ１と参加ユーザＵｎとで共有させる約束事作成出力部１２と、主ユーザＵ１および参加ユーザＵｎの約束事の取り決めをまとめた書類データを、主ユーザＵ１と参加ユーザＵｎとの情報端末１０，１０に取得させる書類取得部としての書類作成部１４と、主ユーザＵ１および参加ユーザＵｎによる情報端末１０の操作に基づいて、書類データに記載された約束事に対して主ユーザＵ１および参加ユーザＵｎのそれぞれが合意したことを出力可能とする合意出力部としての承認出力部１５および署名取得部１６と、約束事、書類データ、合意した内容を、主ユーザＵ１および参加ユーザＵｎに関連して記憶する記憶部２７と、を備え、約束事管理部２２は、主ユーザＵ１および参加ユーザＵｎの情報端末１０、１０による参照操作に応じて、書類データを含むデータを、情報端末１０，１０により表示可能とする。
【００８２】
したがって、主ユーザＵ１と参加ユーザＵｎは、それぞれ、合意した約束事の取り決めをまとめた書類データを確認することができ、約束事を当事者どうしで間違えなく共有可能である。
【００８３】
（２）実施の形態１の約束事管理システムは、主ユーザＵ１の操作に応じて約束事の作成を可能とする約束事作成出力部１２と、主ユーザＵ１の操作に応じて書類データの作成を可能とする書類作成部１４と、を備える。
したがって、約束事の作成や、書類データの作成が容易である。
【００８４】
（３）実施の形態１の約束事管理システムは、主ユーザＵ１および参加ユーザＵｎによる情報端末１０，１０の操作に応じて約束事に対する意見を相互に出力可能とする意見投稿処理部１３を備える。
したがって、約束事に参加する主ユーザＵ１と参加ユーザＵｎとで、約束事を共有しながら、意見を出し合って、約束事を取り決める内容を、随時変更することができ、使い勝手に優れる。
【００８５】
（４）実施の形態１の約束事管理システムは、約束事作成出力部１２、意見投稿処理部１３、書類作成部１４、承認出力部１５、署名取得部１６の処理は、情報端末１０にインストールされたプログラムで実行される。
したがって、プログラムを配布した情報端末１０の持ち主などの権限者であるユーザＵが、約束事管理システムの管理対象となり、ユーザＵの管理が容易である。また、本開示の約束事管理システムによる約束事管理処理の実行も容易となる。
【００８６】
（５）実施の形態１の約束事管理システムでは、合意出力部としての承認出力部１５は、合意として、書類データとして示された約束事を承認したことの意思表示を可能とし、約束事管理サーバ２０は、主ユーザＵ１および参加ユーザＵｎの承認の意思表示が得られたら、書類データを完成した約束事として、各ユーザの承認実績と併せて記憶部２７に記憶させる書類承認管理部２５を備える。
したがって、契約以外の友人どうしの約束事も管理対象とすることができ、各種の約束事の共有および管理が可能となり、高い汎用性を得ることができる。
【００８７】
（６）実施の形態１の約束事管理システムでは、合意出力部としての署名取得部１６は、合意として、書類データに電子署名を取得して出力可能な署名取得部１６を備え、電子署名により書類データに署名を行う書類署名部２６をさらに備える。
したがって、電子署名を実行可能とすることで約束事として法的効力も期待でき、上記（５）のような友人どうしの約束事以外の契約などの重要な約束事の管理も併せて可能であり、さらに高い汎用性を得ることができる。
【００８８】
（７）実施の形態１の約束事管理システムでは、意見投稿処理部１３は、出力した意見および受け取った意見を意見・コメント作成投稿画面３４の表示部３４ａにより時系列で表示する処理を行う。
したがって、意見やコメントの確認が容易である。
【００８９】
（８）実施の形態１の約束事管理システムは、  約束事を、情報端末１０の表示画面１１に表示したカレンダー画面１１０上の日付に対応する位置に表示し、かつ、ユーザＵによるカレンダー画面１１０上に表示された約束事の選択操作（タップ操作やクリック操作）に応じて約束事の内容を表示する画面（例えば、約束事作成画面３２と同様の画面）に遷移する処理を行うスケジュール管理部１７を備える。
したがって、日付（カレンダー）に応じて約束事の日時を把握することが可能であり、使い勝手に優れる。加えて、カレンダー画面１１０から、約束事の内容を確認できる画面に遷移できるため、内容の確認が容易であり、この点でも使い勝手に優れる。
【００９０】
（９）実施の形態１の約束事管理システムは、情報端末１０の表示画面１１上の約束事一覧画面３１に約束事を一覧表示させ、かつ、約束事の承認日、開始日、終了日などの日付順を含む入力条件に応じた並び替えを可能とする期限管理部としてのスケジュール管理部１７を備える。
さらに、スケジュール管理部１７は、日付順以外の入力条件として、未完了、完了が含まれ、さらに、未完了状態の約束事を完了状態に変更する操作を可能としている。
したがって、約束事の期限管理が容易となり、使い勝手に優れる。また、約束事の日付が近付いた場合のアラームの設定も可能とすることにより、さらに使い勝手を良くすることが可能である。
【００９１】
（１０）実施の形態１のプログラムは、複数のユーザＵがそれぞれ所有する情報端末１０と通信ネットワークＮＷを介して接続可能な約束事管理サーバ２０を備える約束事管理システムにおいて情報端末１０で用いるプログラムである。そして、このプログラムは、ユーザＵによる情報端末１０の操作による約束事の作成と、約束事を作成した主ユーザＵ１の情報端末１０の操作による約束事の約束事管理サーバ２０の出力、および、参加ユーザＵｎの情報端末１０への出力と、主ユーザＵ１および参加ユーザＵｎの情報端末１０の操作による約束事に対する意見の出力と、主ユーザＵ１もしくは参加ユーザＵｎによる情報端末１０の操作による約束事の最終的な取り決めをまとめた書類データの作成と、主ユーザＵ１および参加ユーザＵｎの情報端末１０の操作による書類データに記載された約束事に対する合意としての承認および署名の出力と、主ユーザＵ１および参加ユーザＵｎの情報端末１０による書類データの参照操作に応じて、約束事管理サーバ２０に記録された書類データの情報端末１０による表示と、を可能とする。
【００９２】
したがって、主ユーザＵ１と参加ユーザＵｎは、それぞれ、約束事の取り決めをまとめた書類データを確認することができ、約束事を当事者どうしで間違えなく共有可能である。また、約束事の作成や、書類データの作成が容易である。加えて、約束事に参加する主ユーザＵ１と参加ユーザＵｎとで、約束事を共有しながら、意見を出し合って、約束事を取り決める内容を、随時変更することができ、使い勝手に優れる。
【００９３】
（他の実施の形態）
以下に、他の実施の形態について説明する。なお、他の実施の形態を説明するのにあたり、実施の形態１と共通するものには共通する符号を付けて説明を省略する。
【００９４】
図６は、実施の形態２の約束事管理システムを示すブロック図であり、実施の形態１との相違点は、情報端末１０に書類署名部１８を設けた点である。
【００９５】
主ユーザＵ１の情報端末１０では、署名取得部１６が自身の電子署名による署名を取得したら、書類署名部１８は、書類データに署名する処理を行う。また、書類署名部１８は、参加ユーザＵｎから送信された電子署名を取得したら、これらの署名も行う。そして、参加者全員（主ユーザＵ１および参加ユーザＵｎ）が署名を行ったら、その書類データを、約束事管理サーバ２０に出力し、記憶部２７に記憶させ、約束事管理部２２により管理する。
したがって、実施の形態２にあっても、実施の形態１と同様の効果を得ることができる。
【００９６】
以上、図面を参照して、本開示の約束事管理システムおよびプログラムの実施の形態を詳述してきたが、本開示の約束事管理システムの具体的な構成は、この実施の形態に限らず、本開示の要旨を逸脱しない程度の設計的変更は、本開示に含まれる。
【００９７】
例えば、実施の形態では、約束事作成出力部１２、意見投稿処理部１３、書類作成部１４、承認出力部（合意出力部）１５、署名取得部（合意出力部）１６、スケジュール管理部１７を、情報端末１０に設けた例を示したが、これに限定されない。例えば、これらの一部、あるいは、全てを約束事管理サーバ２０に設け、例えば、クラウドサービスなどを用い、ユーザＵによる情報端末１０の操作に基づいて動作するようにしてもよい。
【００９８】
また、実施の形態では、約束事の作成、書類データの作成を情報端末１０で行うようにした例を示したが、これに限定されない。例えば、他のコンピュータや他のアプリケーションで作成した約束事や書類データを、情報端末１０に取り込むようにしてもよい。また、実施の形態で示した、情報端末１０において約束事や書類データを作成する約束事作成出力部１２や書類作成部１４と、上記の外部からのデータの取り込みとを併用するようにしてもよい。また、約束事や書類データを、情報端末１０の操作に応じて、約束事管理サーバ２０において作成するようにしてもよい。
【００９９】
また、実施の形態では、約束事の最終的な取り決めをまとめた書類データの作成を主ユーザＵ１が行うようにした例を示したが、これに限定されず、参加ユーザＵｎも作成可能としてもよい。
【０１００】
また、実施の形態では、約束事管理部２２を約束事管理サーバ２０に設け、この約束事管理部２２が、主ユーザＵ１および参加ユーザＵｎの情報端末１０、１０による参照操作に応じて、約束事管理部２２が記憶部２７の書類データを、情報端末１０，１０により表示可能とする例を示したが、これに限定されない。例えば、約束事管理部の機能の一部を、情報端末１０に設け、書類データ、承認や署名のデータを情報端末１０に記憶させ、これを表示させるようにしてもよい。また、プログラムも、同様に、外部から書類データを取り込むようにしてもよい。
【０１０１】
また、実施の形態では、スケジュール管理部１７が、期限管理部も兼用する例を示したが、スケジュール管理部１７とは別個に期限管理部を設けてもよい。また、スケジュール管理部と期限管理部は、いずれか一方または両方を約束事管理サーバ２０に設けてもよい。
【０１０２】
また、実施の形態では、約束事を完成させるにあたり、主ユーザＵ１および参加ユーザＵｎの全員の合意（承認、署名）を条件とした例を示したが（Ｓ３０４〜Ｓ３０６）、これに限定されない。例えば、参加者の予め決められた所定割合（例えば、過半数）以上の合意を、約束事の完成条件としたり、また、参加ユーザＵｎの意思を仲介する仲介人や、あるいは、参加ユーザＵｎの中の所定の代表者のような、予め設定されたユーザＵの合意を、約束事の完成条件としたりしてもよい。
【０１０３】
さらに、実施の形態では、主ユーザＵ１と参加ユーザＵｎとで、意見やコメントを相互に投稿可能なものを示したが、これに限定されず、少なくとも、約束事の共有と、合意の共有ができる者であればよい。また、プログラムも、同様である。
【符号の説明】
【０１０４】
１０   情報端末
１１   表示画面
１２   約束事作成出力部（約束事出力部、約束事作成部）
１３   意見投稿処理部
１４   書類作成部
１５   承認出力部（合意出力部）
１６   署名取得部（合意出力部）
１７   スケジュール管理部
１８   書類署名部
２０   約束事管理サーバ
２１   ユーザ管理部
２２   約束事管理部
２３   意見管理部
２４   書類管理部
２５   書類承認管理部
２６   書類署名部
２７   記憶部
３１   約束事一覧画面
３２   約束事作成画面
３３   書類作成画面
３４   意見・コメント作成投稿画面
１１０ カレンダー画面
ＮＷ   通信ネットワーク
Ｕ     ユーザ
Ｕ１   主ユーザ
Ｕｎ   参加ユーザ 
【図１】
2020160571.tif 000003
【図２】
2020160571.tif 000004
【図３】
2020160571.tif 000005
【図４Ａ】
2020160571.tif 000006
【図４Ｂ】
2020160571.tif 000007
【図５Ａ】
2020160571.tif 000008
【図５Ｂ】
2020160571.tif 000009
【図５Ｃ】
2020160571.tif 000010
【図５Ｄ】
2020160571.tif 000011
【図６】
2020160571.tif 000012